(57)【要約】【課題】クラリファイヤーにおいて優れた効率で水の流れを生成する水平型撹拌装置を提供する。【解決手段】水平型撹拌装置は、プロペラ１が、水中モータ３に、水中モータ３から軸心方向に少しずらして接続されている。プロペラ１および水中モータ３は、水中モータ３が動作するとプロペラ１から水中モータ３の方向に流れが生成されるように構成されている。プロペラ１の下流側には、プロペラ１の軸心に対して略平行に延在する少なくとも１つの軸方向平面上に延設された、プレート状の流れ案内要素５が設けられている。本発明では、水中モータ３を、少なくとも２つの第１の流れ案内要素５を介して、クラリファイヤーの底部Ｂに支持する。【選択図】図１
2015514007.tif 000002
【特許請求の範囲】
【請求項１】
クラリファイヤーにおいて流れを生成する水平型撹拌装置であって、
プロペラ（１）が、水中モータ（３）に、当該水中モータ（３）から軸心方向に少しずらして接続されており、
前記プロペラ（１）および前記水中モータ（３）は、当該水中モータ（３）が動作すると当該プロペラ（１）から当該水中モータ（３）の方向に流れが生成されるように構成されており、
前記プロペラ（１）の下流側には、当該プロペラの軸心に対して略平行に延在する少なくとも１つの軸心方向平面上に延設された、プレート状の流れ案内要素（５，７）が設けられている、水平型撹拌装置において、
前記水中モータ（３）が、少なくとも２つの第１の流れ案内要素（５）を介して、前記クラリファイヤーの底部（Ｂ）に支持されていることを特徴とする、水平型撹拌装置。
【請求項２】
請求項１に記載の水平型撹拌装置において、前記第１の流れ案内要素（５）が、前記水中モータ（３）を支持する少なくとも１つのキャリアプレート（４ａ，４ｂ）を介して相互連結している、水平型撹拌装置。
【請求項３】
請求項１または２に記載の水平型撹拌装置において、前記第１の流れ案内要素（５）がそれぞれ、前記キャリアプレート（４ａ，４ｂ）から９０°〜１４０°の角度で、好ましくは１００°〜１２０°の角度で延出する、水平型撹拌装置。
【請求項４】
請求項１から３のいずれか一項に記載の水平型撹拌装置において、前記第１の流れ案内要素（５）および／または前記少なくとも１つのキャリアプレート（４ａ，４ｂ）が、折り曲げられたシートメタルから製作されている、水平型撹拌装置。
【請求項５】
請求項１から４のいずれか一項に記載の水平型撹拌装置において、前記第１の流れ案内要素（５）が、前記底部の側で、少なくとも１つの連結要素（６ａ，６ｂ）を介して相互連結している、水平型撹拌装置。
【請求項６】
請求項１から５のいずれか一項に記載の水平型撹拌装置において、前記キャリアプレート（４ａ，４ｂ）に取り付けられた支持構造体からまたは前記水中モータ（３）から、前記クラリファイヤーの前記底部（Ｂ）から遠ざかる方向に延出する、第２の流れ案内要素（７）が設けられている、水平型撹拌装置。
【請求項７】
請求項１から６のいずれか一項に記載の水平型撹拌装置において、前記第１の流れ案内要素（５）が取り付けられた前記キャリアプレート（４ａ，４ｂ）によってマウント（Ａ）を形成しており、このマウント（Ａ）に、前記水中モータ（３）および前記プロペラ（１）で構成される組立ユニット（Ｍ）が、カップリング装置（８ａ，８ｂ，９ａ，９ｂ）によって着脱可能に固定されている、水平型撹拌装置。
【発明の詳細な説明】
【技術分野】
【０００１】
本発明は、請求項１の前提部に記載されているとおりクラリファイヤーにおいて水の流れを生成する水平型撹拌装置に関する。
【背景技術】
【０００２】
このような水平型撹拌装置は、特許文献１から知られている。この既知の水平型撹拌装置は、柱状のフレームに沿って鉛直方向に可動なスライドに支持される。この既知の水平型撹拌装置では、その柱状のフレームの方向に向かって、水平方向の水の流れを効率良く生成することができる。しかしながら、その水平方向の水の流れの生成効率のさらなる向上が所望される。
【先行技術文献】
【特許文献】
【０００３】
【特許文献１】国際公開第２００８／１０１６３３号
【発明の概要】
【発明が解決しようとする課題】
【０００４】
本発明の目的は、従来技術の短所を改善することである。具体的に述べると、本発明の目的は、水平方向の水の流れをさらに効率良く生成することができる水平型撹拌装置を提供することである。
【課題を解決するための手段】
【０００５】
上記の目的は、請求項１の構成によって達成される。本発明の好適な実施形態は、請求項１〜７の構成から明らかである。
【０００６】
本発明では、水中モータを、少なくとも２つの第１の流れ案内要素を介してクラリファイヤーの底部に支持する。２つの第１の流れ案内要素を水中モータの支持に利用するので、水中モータの支持に従来用いられてきた既知のフレームを省くことができる。
【０００７】
これにより、そのフレームによる流動抵抗がなくなる。このような水平型撹拌装置により、水平方向の流れを極めて効率良く生成することができる。さらに、このような水平型撹拌装置は、簡単に且つ安価に製造することができる。なお、「軸心方向平面」という用語は、プロペラの略水平方向に延びる軸心を含む平面のことを言う。
【０００８】
有利な一実施形態において、前記第１の流れ案内要素は、前記水中モータを支持する少なくとも１つのキャリアプレートを介して相互連結している。前記第１の流れ案内要素はそれぞれ、前記キャリアプレートから９０°〜１４０°の角度で、好ましくは１００°〜１２０°の角度で延出する。具体的には、前記第１の流れ案内要素のそれぞれを、前記キャリアプレートから９０°を超える角度で互いに遠ざかるように延出したものとすることにより、前記水中モータの支持を極めて安定して行うことができる。
【０００９】
有利な他の実施形態において、前記第１の流れ案内要素および／または前記少なくとも１つのキャリアプレートは、折り曲げられたシートメタルから製作されている。特に好ましくは、前記第１の流れ案内要素および／または前記少なくとも１つのキャリアプレートが、折り曲げられたシートメタルから二重壁構造で製作されている。二重壁構造とした場合、その二重壁のうちの少なくとも１つの壁に、当該二重壁内部に空気溜まりが生じるのを防ぐための孔が設けられる。
【００１０】
他の実施形態において、前記少なくとも２つの第１の流れ案内要素は、前記クラリファイヤーの前記底部の側で、少なくとも１つの連結要素を介して相互連結している。前記少なくとも１つのキャリアプレート、当該キャリアプレートから延出する前記第１の流れ案内要素、および前記少なくとも１つの連結要素により、トンネル状の極めて安定した構造体が形成される。
【００１１】
他の実施形態では、前記キャリアプレートに取り付けられた支持構造体からまたは前記水中モータから、前記クラリファイヤーの前記底部から遠ざかる方向に延出する、第２の流れ案内要素が設けられている。このような第２の流れ案内要素を設けることにより、前記水平方向の流れの方向性が向上する。
【００１２】
特に有利な一実施形態において、前記第１の流れ案内要素が取り付けられた前記キャリアプレートによってマウントを形成しており、このマウントに、前記水中モータおよび前記プロペラで構成される組立ユニットが、カップリング装置によって着脱可能に固定されている。好ましくは、前記組立ユニットは、さらに、前記第２の流れ案内要素を含む。このように前記マウントに前記組立ユニットを着脱可能に固定する構成により、その組立ユニットの保守および／または修理を極めて容易に行うことができる。前記組立ユニットは、例えばケーブルウィンチなどにより、前記マウントから切り離して前記クラリファイヤー内に収容された排水の水面よりも高い位置に持ち上げることができる。
【００１３】
以下では、本発明の例示的な実施形態を、図面に基づいて詳細に説明する。
【図面の簡単な説明】
【００１４】
【図１】水平型撹拌装置の斜視図である。
【図２】図１に示された装置の断面図である。
【図３】図１に示された装置の正面図である。
【図４】図１に示された装置の側面図である。
【図５】図１に示された装置の平面図である。
【図６】図１に示された装置の背面図である。
【発明を実施するための形態】
【００１５】
図示の水平型撹拌装置では、プロペラ１が伝動機構２を介して水中モータ３に接続されている。水中モータ３は、プロペラ１から水中モータ３に向かう流れを生成するように動作する。
【００１６】
プロペラ１は、水中モータ３と伝動機構２と共に組立ユニットを形成する。この組立ユニットは、水流に対して上流側である前方のキャリアプレート４ａおよび水流に対して下流側である後方のキャリアプレート４ｂに支持されている。前方のキャリアプレート４ａおよび後方のキャリアプレート４ｂから、第１の流れ案内要素５が、約１００°〜約１２０°の角度で延出している。第１の流れ案内要素５は、プレート状に形成されている。第１の流れ案内要素５の平面は、プロペラ１の軸心に対して略平行に延在している。
【００１７】
好ましくは、前方のキャリアプレート４ａ、後方のキャリアプレート４ｂおよび第１の流れ案内要素５は、折り曲げられたシートメタルから製作されている。キャリアプレート４ａ，４ｂおよび／または第１の流れ案内要素５は、安定性を向上させるために二重壁とされている。この場合、好ましくは、前記折り曲げられたシートメタル同士はリベットで接続されている。このようにして形成されたマウントＡは、優れた安定性を有する。
【００１８】
好ましくは、前記第１の流れ案内要素５は、クラリファイヤーの底部Ｂの領域で、水流に対して上流側である前方の連結要素６ａおよび水流に対して下流側である後方の連結要素６ｂに連結している。前方の連結要素６ａおよび後方の連結要素６ｂはそれぞれ、水流に対して上流側の平坦な流入面と下流側の急勾配の流出面とを有している。
【００１９】
前記組立ユニットを符号Ｍで示す。この組立ユニットＭは、さらに、水中モータ３から鉛直方向上方に延在する第２の流れ案内要素７を含む。第２の流れ案内要素７は、曲線状のリーディングエッジ（水流の流入側縁）を有する。
【００２０】
組立ユニットＭは、前述したキャリアプレート４ａ，４ｂ、キャリアプレート４ａ，４ｂから延出する第１の流れ案内要素５および連結要素６ａ，６ｂを含むマウントＡに、着脱可能に接続されている。組立ユニットＭをマウントＡに着脱可能に接続するために、第１のカップリング要素８ａが前方のキャリアプレート４ａに、第２のカップリング要素８ｂが後方のキャリアプレート４ｂに取り付けられている。さらに、組立ユニットＭに、第１のカップリング要素８ａに対応する第３のカップリング要素９ａと、第２のカップリング要素８ｂに対応する第４のカップリング要素９ｂとが取り付けられている。
【００２１】
符号１０はケーブルを示す。組立ユニットＭは、ガイド１１（好ましくは、溝付きガイド）を介して、そのケーブル１０に沿って案内される。ガイド１１は、第２の流れ案内要素７に延設されている。
【００２２】
組立ユニットＭには、当該組立ユニットＭを持ち上げるためのさらなるケーブル１２が固定される。このさらなるケーブル１２を介して引張力を加えることにより、マウントＡと組立ユニットＭとの間の、前述したカップリング要素８ａ，８ｂ，９ａ，９ｂによるカップリングを解除することができ、さらに、組立ユニットＭをケーブル１０に沿って案内しクラリファイヤーから持ち上げることができる。
【００２３】
図２から分かるように、ケーブル１０の一端は、後方のキャリアプレート４ｂおよび前方のキャリアプレート４ａを通って案内されて、第３のカップリング要素９ａの領域で組立ユニットＭに固定される。ケーブル１０の他端は、クラリファイヤーの上方で固定されたプーリ（図示せず）を介して案内されて、固定ポイントに固定される。これにより、ケーブル１０は、さらなるケーブル１２と共にケーブルウィンチを形成することができる。このようなケーブルウィンチにより、組立ユニットＭを案内しながら当該組立ユニットＭをマウントＡの方向に下ろすことができる。さらに、そのようなケーブルウィンチは、カップリング装置を構成するカップリング要素８ａ，８ｂ，９ａ，９ｂと協働することによって当該組立ユニットＭをマウントＡに接続することができる。
【符号の説明】
【００２４】
１      プロペラ
２      伝動機構
３      水中モータ
４ａ    第１（前方）のキャリアプレート
４ｂ    第２（後方）のキャリアプレート
５      第１の流れ案内要素
６ａ    第１（前方）の連結要素
６ｂ    第２（後方）の連結要素
７      第２の流れ案内要素
８ａ    第１のカップリング要素
８ｂ    第２のカップリング要素
９ａ    第３のカップリング要素
９ｂ    第４のカップリング要素
１０    ケーブル
１１    ガイド
１２    さらなるケーブル
Ａ      マウント
Ｂ      クラリファイヤーの底部
Ｍ      組立ユニット
【図１】
2015514007.tif 000003
【図２】
2015514007.tif 000004
【図３】
2015514007.tif 000005
【図４】
2015514007.tif 000006
【図５】
2015514007.tif 000007
【図６】
2015514007.tif 000008
【国際調査報告】
2015514007.tif 000009
2015514007.tif 000010
2015514007.tif 000011
2015514007.tif 000012